(57)【要約】【課題】ろ過流量の低下を抑制できるフィルタエレメント構造及び当該フィルタエレメント構造を備えた逆洗型ろ過装置を提供する。【解決手段】逆洗型ろ過装置Ｗに装着され該装置内を流れる流体をろ過するフィルタエレメント構造１００であって、一対のフィルタエレメント１０と、一方の前記フィルタエレメント１０と他方の前記フィルタエレメント１０とを接続する接続管１３とを備え、前記フィルタエレメント１０は、両端が貫通している中空筒状に形成されたろ材１１と、前記ろ材１１の上端部を覆う上蓋部１２と、前記上蓋部１２を貫通する上孔１２ａとを有し、前記接続管１３の一端が一方の前記上孔１２ａに接続され、前記接続管１３の他端が他方の前記上孔１２ａに接続される。【選択図】図１
2014042888.tif 000002
【特許請求の範囲】
【請求項１】
逆洗型ろ過装置に装着され該装置内を流れる流体をろ過するフィルタエレメント構造であって、
一対のフィルタエレメントと、
一方の前記フィルタエレメントと他方の前記フィルタエレメントとを接続する接続管とを備え、
前記フィルタエレメントは、両端が貫通している中空筒状に形成されたろ材と、前記ろ材の上端部を覆う上蓋部と、前記上蓋部を貫通する上孔とを有し、
前記接続管の一端が一方の前記上孔に接続され、前記接続管の他端が他方の前記上孔に接続されることを特徴とするフィルタエレメント構造。
【請求項２】
前記流体をろ過する場合、前記ろ材の下端部に形成されたフィルタ入口から流体を流入させるようになっており、前記フィルタエレメント構造内に流入した流体がろ材を通過してろ過され、
前記ろ材を逆洗する場合、一方の前記フィルタ入口に、前記逆洗型ろ過装置に設けられた逆洗アームが接続されるようになっており、他方の前記フィルタ入口から流入した流体が前記接続管を通過して一方の前記ろ材の筒内に流入すると共に、一方の前記フィルタエレメントの外側を流れている流体が一方の前記ろ材を通過して一方の前記ろ材の筒内に流入することにより、一方の前記上孔から一方の前記フィルタ入口に向けて流体が流れて一方の前記ろ材に付着した付着物を洗い流すようになっていることを特徴とする請求項１に記載のフィルタエレメント構造。
【請求項３】
複数のフィルタエレメント構造を収納した略中空円筒状のハウジングを備え、外部から流入する流体のろ過を行いながら、順番にフィルタエレメントの洗浄を行う逆洗型ろ過装置であって、
前記ハウジング内部を上側エリアと下側エリアの２つのエリアに仕切る棚板と、
前記ハウジングの下方側に形成されて且つろ過対象の流体を前記下側エリアに流入させる装置入口と、
前記ハウジングの上方側に形成され且つ前記上側エリアからろ過された流体を排出させる装置出口と、
前記ハウジングの中心部に配置され且つ回転自在に形成された回転軸と、
前記回転軸に接続されて前記回転軸の回転に伴い動作する逆洗アームとを有し、
前記フィルタエレメント構造は、一対のフィルタエレメントと、一方の前記フィルタエレメントと他方の前記フィルタエレメントとを接続する接続管とを備え、
前記フィルタエレメントは、両端が貫通している中空筒状に形成されたろ材と、前記ろ材の上端部を覆う上蓋部と、前記上蓋部を貫通する上孔とを有し、
前記棚板には、複数の貫通孔が穿設され、各貫通孔には、それぞれ、前記フィルタエレメントの下端部が嵌合・固定され、前記ハウジングの下側エリアが前記ろ材の筒内と連通しており、
前記逆洗アームは、その一端部が前記棚板の下端面に当接しながら移動し、前記複数の貫通孔のいずれかに接続され、前記接続した貫通孔に挿嵌・固定された前記フィルタエレメントと連通するようになっており、
前記一対のフィルタエレメントのそれぞれが前記逆洗アームと連通していない前記一対のフィルタエレメントには、前記装置入口から流入した流体が前記貫通孔を介して前記ろ材の筒内に流入し、前記流入した流体が前記ろ材を通過して前記流体がろ過され、このろ過された流体が前記装置出口から排出され、
前記一対のフィルタエレメントの内、一方の前記フィルタエレメントが前記逆洗アームと連通している前記一対のフィルタエレメントには、前記逆洗アームと連通していない前記他方のフィルタエレメントの前記フィルタ入口から流入した流体が前記接続管を通過して一方の前記ろ材の筒内に流入すると共に、一方の前記フィルタエレメントの外側を流れている流体が一方の前記ろ材を通過して一方の前記ろ材の筒内に流入することにより、一方の前記上孔から一方の前記フィルタ入口に向けて流体が流れて一方の前記ろ材に付着した付着物を洗い流すようになっていることを特徴とする逆洗型ろ過装置。
【発明の詳細な説明】
【技術分野】
【０００１】
本発明は、フィルタエレメント構造及び当該フィルタエレメント構造を備えた逆洗型ろ過装置に関する。
【背景技術】
【０００２】
従来から、コンテナ船等の船舶に搭載して用いられる逆洗型ろ過装置が提案されている。ここで、図８を参照しながら、従来技術の逆洗型ろ過装置の構成を簡単に説明する。
【０００３】
図示するように、逆洗型ろ過装置Ｚは、２つの密封カバー１１２、１１４を有する円筒フィルターハウジング（以下、単に「ハウジング」という）１１０を備えている。このハウジング１１０には、ろ過対象の流体を流入さるろ過装置入口１１８と、ろ過された流体を排出させるろ過装置出口１２０とが設けられている。また、ハウジング１１０の内部には、複数のフィルタエレメント１２２が装着されている。具体的には、ハウジング１１０の内部に、複数のフィルタエレメント１２２が、ハウジング１１０の円筒状（同心）の円弧に沿って相互に間隔をあけて配置されている。
【０００４】
このフィルタエレメント１２２は、中空筒状に形成されたろ材１２２ａを備え、その一端部側が密封カバー１１４に形成された貫通孔１１４ａに挿嵌され、その他端部が密封カバー１１２に取り付けられた密封キャップ１２６に接続されて密閉されている。また、フィルタエレメント１２２は、一端部が開口したフィルタ入口１２４になっており、フィルタ入口１２４を介して、フィルタエレメント１２２に流体が流入したり、フィルタエレメント１２２から流体が排出したりするようになっている。
【０００５】
そして、ろ過装置入口１１８から流入した流体は、フィルタエレメント１２２のフィルタ入口１２４からろ材１２２ａの内側に流入し、その後、ろ材１２２ａの内側から外側を通過することでろ過され、ろ過装置出口１２０から排出されるようになっている。尚、図中の矢印１２１は、フィルタ運転中の流体の流れ方向を示している。
【０００６】
また、逆洗型ろ過装置Ｚには、ドライブロッド（センタ回転軸）１３４と、ドライブロッド１３４に接続された逆洗アーム１３０とが設けられており、この構成により、ろ過を行いながら、順番にフィルタエレメント１２２の洗浄ができるようになっている。
【０００７】
この逆洗アーム（逆洗パイプ）１３０は、上端部が密封カバー１１４の下側面に当接すると共に、下端部が汚水用の流体出口に接続された配管１３２に接続されている。また、逆洗アーム１３０は、フィルタエレメント１２２のフィルタ入口１２４の下を順番に、ドライブロッド１３４を介して動くようになっている。具体的には、逆洗アーム１３０は、ドライブロッド１３４の回転に伴い動作して、複数のフィルタエレメント１２２のうちのいずれかに順次接続されていく。そして、逆洗アーム１３０に接続されたフィルタエレメント１２２のみが、他のフィルタエレメント１２２でろ過された流体がろ材１２２ａの外側から内側へ流れていく。これにより、フィルタエレメント１２２が逆洗される。尚、逆洗の方向は、図中の矢印１３５ｂに示す方向（フィルタエレメント１２２の外側から内側へ向かう方向）であり、通常のろ過方向は、矢印１３５ａに示す方向（フィルタエレメント１２２の内側から外側へ向かう方向）である。尚、上記と同様の逆洗処理を行う逆洗型ろ過装置は、例えば、特許文献１に開示されている。
【先行技術文献】
【特許文献】
【０００８】
【特許文献１】特開２００１−１７０４１６号公報
【発明の概要】
【発明が解決しようとする課題】
【０００９】
しかしながら、上述した従来技術の逆洗型ろ過装置は、フィルタエレメントの構造上、逆洗を行ってもフィルタエレメントを構成する「ろ材」に付着したゴミ等の付着物を十分に取り除くことができず、ろ材に付着物が残存して堆積していき、ろ過流量が低下するという技術的課題を有している。すなわち、上述した従来技術の逆洗型ろ過装置は、使用するにつれてろ過流量が低下していくため（ろ過能力が低下していくため）、効率良く流体をろ過することができなかった。
【００１０】
具体的には、従来技術の逆洗型ろ過装置は、図９（ａ）、（ｂ）に示すように、フィルタエレメント１２２を構成するろ材１２２ａに流体を通過させて、流体をろ過すると、ろ材１２２ａにゴミ等の付着物ｄが付着していく。そして、ゴミ等が付着したフィルタエレメント１２２を逆洗すると、図１０（ａ）に示すように、フィルタエレメント１２２のろ材１２２ａに捕捉されている付着物ｄが洗い流されていくようになっている。
【００１１】
しかし、従来技術のフィルタエレメント１２２は、フィルタ入口１２４と相対向する端部（ろ材１２２ａの上端の密封キャップ１２６側）が塞がれた構造になっているため、逆洗している最中に、ろ材１２２ａの上端部からフィルタ入口１２４に向けて大きい流量の水流が発生しない。そのため、従来技術では、逆洗をしても、フィルタエレメント１２２のろ材１２２ａの側面に付着したゴミ等の付着物ｄを十分に洗い流すことができない（図１０（ｂ）の符号１４０を参照）。
【００１２】
また、フィルタエレメント１２２は、その上端部が塞がれているため、逆洗している最中における、ろ材１２２ａの上端部側の流量が小さいものとなっている（ろ材１２２ａの上端側での水流の流速が遅くなる）。そのため、従来技術では、逆洗した場合に、フィルタ入口１２４から離れている「ろ材１２２ａの上端部側」に付着した付着物ｄも十分に洗い流すことがきない（図１０（ｂ）の符号１４１を参照）
【００１３】
このように、従来技術の逆洗型ろ過装置Ｚは、フィルタエレメント１２２の構造上、所定期間使用すると、フィルタエレメント１２２を構成するろ材１２２ａ（ろ材１２２ａの側面や、ろ材１２２ａの上端部側）にゴミ等の付着物ｄが堆積し、ろ過流量が低下する。尚、上述した従来技術の逆洗型ろ過装置において、フィルタエレメント１２２を頻繁に交換することでろ過能力の低下を防止できるが、この方法では、運用コストが嵩んでしまう。
【００１４】
本発明は、上記課題に鑑みてなされたものであり、その目的は、ろ過流量の低下を抑制できるフィルタエレメント構造及び当該フィルタエレメント構造を備える逆洗型ろ過装置を提供することにある。
【課題を解決するための手段】
【００１５】
上記課題を解決するためになされた本発明は、逆洗型ろ過装置に装着され該装置内を流れる流体をろ過するフィルタエレメント構造であって、一対のフィルタエレメントと、一方の前記フィルタエレメントと他方の前記フィルタエレメントとを接続する接続管とを備え、前記フィルタエレメントは、両端が貫通している中空筒状に形成されたろ材と、前記ろ材の上端部を覆う上蓋部と、前記上蓋部を貫通する上孔とを有し、前記接続管の一端が一方の前記上孔に接続され、前記接続管の他端が他方の前記上孔に接続されることを特徴とする。
【００１６】
また、前記流体をろ過する場合、前記ろ材の下端部に形成されたフィルタ入口から流体を流入させるようになっており、前記フィルタエレメント構造内に流入した流体がろ材を通過してろ過され、前記ろ材を逆洗する場合、一方の前記フィルタ入口に、前記逆洗型ろ過装置に設けられた逆洗アームが接続されるようになっており、他方の前記フィルタ入口から流入した前記流体が前記接続管を通過して一方の前記ろ材の筒内に流入すると共に、一方の前記フィルタエレメントの外側を流れている流体が一方の前記ろ材を通過して一方の前記ろ材の筒内に流入することにより、一方の前記上孔から一方の前記フィルタ入口に向けて流体が流れて一方の前記ろ材に付着した付着物を洗い流すようになっていることが望ましい。
【００１７】
このように、本発明のフィルタエレメント構造は、一対のフィルタエレメントと、一方の前記フィルタエレメントと他方の前記フィルタエレメントとを接続する接続管とを設ける構成を採用している。この構成により、フィルタエレメントを逆洗する際、一方のフィルタ入口と逆洗アームとを連通させ（接続させ）ると、他方のフィルタ入口から流入した流体が接続管を通過して一方のろ材の筒内に流入する。そのため、逆洗している最中において、一方のろ材の上端部から一方のフィルタ入口に向けて流れる水流を発生させることができ、その結果、一方のろ材の側面に付着している付着物を洗い流すことができる。また、逆洗する際に、上蓋部の上孔に接続された接続管から流体が流入するため、ろ材の上端部側にも大きな流れが発生するようになり、フィルタ入口から離れている「ろ材の上端部側」に付着したゴミを十分に洗い流すことができる。
したがって、本発明によれば、上述の従来技術と比べて、フィルタエレメントを構成するろ材に付着した付着物の洗浄効果（逆洗による洗浄効果）を高めることができ、使用によるろ過流量の低下が抑制される。
尚、本発明のフィルタエレメント構造では、流体をろ過する場合、フィルタ入口から流入する流体により、上述した従来技術と同様のろ過処理が行われる。
【００１８】
また、本発明は、「上蓋部に接続管」を接続する構成により、ろ材に付着した付着物の洗浄効果を高めている。また、本発明は、洗浄効果を高める上記構成（接続管）を動作させるために、新たに、外部動力源や制御回路等設ける必要がないため、大幅なコストアップを招くことなく、ろ過流量の低下を抑制できるフィルタエレメント構造が実現される。尚、前記接続管がＵ字形状に設けられることが望ましい。このように構成することにより、フィルタエレメント構造を逆洗する際、逆洗アームと連通されていない他方のフィルタ入口から流入した流体がスムーズに接続管を介して逆洗アームに連通された一方のフィルタエレメントに流入し、ろ材に付着した付着物の洗浄効果をより高めている。
【００１９】
また、本発明は、複数のフィルタエレメント構造を収納した略中空円筒状のハウジングを備え、外部から流入する流体のろ過を行いながら、順番にフィルタエレメントの洗浄を行う逆洗型ろ過装置に適用される。
そして、前記逆洗型ろ過装置は、前記ハウジング内部を上側エリアと下側エリアの２つのエリアに仕切る棚板と、前記ハウジングの下方側に形成されて且つろ過対象の流体を前記下側エリアに流入させる装置入口と、前記ハウジングの上方側に形成され且つ前記上側エリアからろ過された流体を排出させる装置出口と、前記ハウジングの中心部に配置され且つ回転自在に形成された回転軸と、前記回転軸に接続されて前記回転軸の回転に伴い動作する逆洗アームとを有し、前記フィルタエレメント構造は、一対のフィルタエレメントと、一方の前記フィルタエレメントと他方の前記フィルタエレメントとを接続する接続管とを備え、前記フィルタエレメントは、両端が貫通している中空筒状に形成されたろ材と、前記ろ材の上端部を覆う上蓋部と、前記上蓋部を貫通する上孔とを有し、前記棚板には、複数の貫通孔が穿設され、各貫通孔には、それぞれ、前記フィルタエレメントの下端部が嵌合・固定され、前記ハウジングの下側エリアが前記ろ材の筒内と連通しており、前記逆洗アームは、その一端部が前記棚板の下端面に当接しながら移動し、前記複数の貫通孔のいずれかに接続され、前記接続した貫通孔に挿嵌・固定された前記フィルタエレメントと連通するようになっており、前記一対のフィルタエレメントのそれぞれが前記逆洗アームと連通していない前記一対のフィルタエレメントには、前記装置入口から流入した流体が前記貫通孔を介して前記ろ材の筒内に流入し、前記流入した流体が前記ろ材を通過して前記流体がろ過され、このろ過された流体が前記装置出口から排出され、前記一対のフィルタエレメントの内、一方の前記フィルタエレメントが前記逆洗アームと連通している前記一対のフィルタエレメントには、前記逆洗アームと連通していない前記他方のフィルタエレメントの前記フィルタ入口から流入した流体が前記接続管を通過して一方の前記ろ材の筒内に流入すると共に、一方の前記フィルタエレメントの外側を流れている流体が一方の前記ろ材を通過して一方の前記ろ材の筒内に流入することにより、一方の前記上孔から一方の前記フィルタ入口に向けて流体が流れて一方の前記ろ材に付着した付着物を洗い流すようになっていることを特徴とする。
このように本発明によれば、上述の従来技術と比べて、フィルタエレメントのろ材に付着した付着物の洗浄効果（逆洗による洗浄効果）を高めることができるため、使用によるろ過流量の低下を抑制できる逆洗型ろ過装置を提供することができる。
【発明の効果】
【００２０】
本発明によれば、ろ過流量の低下を抑制できるフィルタエレメント構造及び当該フィルタエレメント構造を備える逆洗型ろ過装置を提供することができる。
【図面の簡単な説明】
【００２１】
【図１】本実施形態のフィルタエレメント構造を備えた逆洗型ろ過装置の全体構成を示した模式図である。
【図２】本実施形態のフィルタエレメントの部品展開図である。
【図３】本実施形態の逆洗型ろ過装置の接続管の配置状態を示す平面図である。
【図４】本実施形態のフィルタエレメント構造を備えた逆洗型ろ過装置のろ過処理中の全体構成を示した模式図である。
【図５】（ａ）は本実施形態のフィルタエレメント構造によるろ過工程中の流体の流通方向を示す模式図であり、（ｂ）は本実施形態のフィルタエレメント構造による逆洗工程中の流体の流通方向を示す模式図である。
【図６】本実施形態のフィルタエレメント構造によるろ過工程を説明するための模式図である。
【図７】本実施形態のフィルタエレメント構造による逆洗工程を説明するための模式図である。
【図８】従来技術のフィルタエレメントを備えた逆洗型ろ過装置を示した模式図である。
【図９】従来技術のフィルタエレメントによるろ過工程を説明するための模式図である。
【図１０】従来技術のフィルタエレメントによる逆洗工程を説明するための模式図である。
【発明を実施するための最良の形態】
【００２２】
以下、本発明の実施形態のフィルタエレメント構造及び当該フィルタエレメント構造を備えた逆洗型ろ過装置を図面に基づいて説明する。
【００２３】
先ず、本実施形態のフィルタエレメント構造を備えた逆洗型ろ過装置の構成を図１〜図３に基づいて説明する。尚、図１は、本実施形態のフィルタエレメント構造を備えた逆洗型ろ過装置の全体構成を示した模式図である。図２は、本実施形態のフィルタエレメントの部品展開図である。図３は、本実施形態の逆洗型ろ過装置の接続管の配置状態を示す平面図である。
【００２４】
図１に示すように、本実施形態の逆洗型ろ過装置Ｗは、複数のフィルタエレメント１０を収納した中空円筒状のハウジング１を備え、このハウジング１の外部から流入する流体のろ過を行いながら、順番にフィルタエレメント１０の洗浄を行うようになっている。以下、本実施形態の逆洗型ろ過装置Ｗの構成を順番に説明する。尚、本実施形態は、フィルタエレメント１０の構成に特徴があるため、フィルタエレメント１０の構成を詳細に説明し、それ以外の構成の説明を簡略化する。
【００２５】
上記のハウジング１は、上端が開放され且つ底部１ａ１を有する中空円筒状の本体部１ａと、本体部１ａの上端を塞ぐドーム状の蓋体部１ｂとを備えている。また、ハウジング１は、内部に棚板７が設置され、この棚板７により、ハウジング１内部が入口側エリア（下側エリア）Ａ１と、出口側エリア（上側エリア）Ａ２とに仕切られている。また、本体部１ａは、その下端側の側面部に、入口側エリアＡ１に流体を流入させるための装置入口４が形成されている。また、本体部１ａは、その上端側の側面部に、出口側エリアＡ２からろ過した流体を排出させるための装置出口５が形成されている。
【００２６】
また、棚板７は、円板状に形成され、その中心部に、回転軸８が回転自在に挿入される貫通孔７ａが形成されている。また、棚板７には、貫通孔７ａを中心にした同心円上に、複数の貫通孔７ｂ１、７ｂ２が形成されている（複数の貫通孔７ｂ１、７ｂ２が所定間隔を開けて形成されている）。具体的には、半径の異なる２つの同心円（内円、外円）に、それぞれ、貫通孔７ｂ１、７ｂ２が形成されている。そして、各貫通孔７ｂ１、７ｂ２には、フィルタエレメント１０の下端部が気密に嵌合・固定され、これにより、複数のフィルタエレメント１０が棚板７に支持・固定されるようになっている。この構成により、ハウジング１の入口側エリアＡ１がフィルタエレメント１０（ろ材１１）の筒内と連通する。そして、ハウジング１内部に流入した流体は、フィルタエレメント１０（ろ材１１）の筒内を通過しないと、入口側エリアＡ１（又は出口側エリアＡ２）から出口側エリアＡ２（又は入口側エリアＡ１）に移動できないようになっている。
【００２７】
尚、棚板７の内円上に形成された貫通孔７ｂ１に、８個のフィルタエレメント１０が嵌合・固定され、棚板７の外円上に形成された貫通孔７ｂ２に８個のフィルタエレメント１０が嵌合・固定されるようになっている。
【００２８】
また、ハウジング１の中心には、蓋体部１ｂの頂上部から棚板７に向けて延びる回転軸８が設けられている。この回転軸８は、その一端部（上端部）が、蓋体１の上端部に装着されたモータ９に接続され、モータ９の駆動により回転するようになっている。また、回転軸８は、その他端部（下端部）が棚板７の貫通孔７ａを挿通し、入口側エリアＡ１まで突出している。尚、モータ９は、図示しない制御回路により制御されて駆動するようになっている。
【００２９】
また、ハウジング１の入口側エリアＡ１まで延設された回転軸８の下端部には、逆洗アーム（逆洗パイプ）２０が接続されている。この逆洗アーム２０は、回転軸８の下端部に固定された基部２０ａと一体に形成され、その上端面が棚板７の下面を水密にシールしながら回転軸８と共に回動するようになっている。
【００３０】
具体的には、逆洗アーム２０は、基部２０ａと、基部２０ａに接続された垂直管２０ｂと、垂直管２０ｂの側面部に接続された２つのＬ字管２０ｃ、２０ｄとを備えている。この垂直管２０ｂは、上端部が基部２０ａにより密封され、下端部が逆洗液排出口４０に連通している排出管３０に回動自在に嵌合されている。
【００３１】
Ｌ字管２０ｃは、一端部が垂直管２０ｂの側面部と接続して垂直管２０と連通しており、他端部に形成された上端面が棚板７の下面に当接している。尚、Ｌ字管２０ｃは、上端面が、棚板７の上に形成されている複数の貫通孔７ｂ１に沿って回動するように長さ寸法が設計されている。
【００３２】
Ｌ字管２０ｄは、一端部が垂直管２０ｂの側面部と接続して垂直管２０ｂと連通しており、他端部に形成された上端面が棚板７の下面に当接している。尚、Ｌ字管２０ｄは、上端面が、棚板７に形成された複数の貫通孔７ｂ２に沿って回動するように長さ寸法が設計されている。
【００３３】
そして、逆洗アーム２０は、モータ９により回転する回転軸８の回転に従い動作し、Ｌ字管２０ｃ、２０ｄの上端面が棚板７の下面に密接すると共に、フィルタエレメント１０の下端部を嵌合・固定している貫通孔７ｂ１、７ｂ２と合致する位置に配置される。これにより、逆洗アーム２０は、Ｌ字管２０ｃ、２０ｄの上端面が、棚板７をシールしながら断続的（若しくは連続的）に回動して順次フィルタエレメント１０の下端部のフィルタ入口１９に連通する。
【００３４】
具体的には、図示しない制御回路に制御されて動作するモータ９により、Ｌ字管２０ｃが動作し、その上端面が、棚板７に形成された複数の貫通孔７ｂ１のいずれかに接続される。これにより、Ｌ次管２０ｃは、前記接続した貫通孔７ｂ１を介して、当該貫通孔７ｂ１に嵌合・固定されたフィルタエレメント１０と接続する（Ｌ字管２０ｃと、中空筒状の形成されたろ材１１の筒内とが連通する）。
【００３５】
また、前記制御回路に制御されて動作するモータ９により、Ｌ字管２０ｄが動作して、その上端面が、棚板７に形成された複数の貫通孔７ｂ２のいずれかに接続される。これにより、Ｌ字管２０ｄは、当該接続した貫通孔７ｂ２を介して、この貫通孔７ｂ２に嵌合・固定されたフィルタエレメント１０と接続する（Ｌ字管２０ｄと、中空筒状に形成されたろ材１１の筒内とが連通する）。
【００３６】
尚、フィルタエレメント１０と接続する際、Ｌ字管２０ｃとＬ字管２０ｄとが、後述する接続管１３で連結された一対のフィルタエレメント１０の両方と同時に接続しないように、貫通孔７ｂ１、７ｂ２とＬ字管２０ｃ、２０ｄとを適切に配置するとよい。
【００３７】
フィルタエレメント１０は、両端が貫通している中空筒状に形成されたろ材１１と、ろ材１１の上端部を覆う板状の上蓋部１２と、上蓋部１２を貫通する上孔１２ａとを有する。
【００３８】
ろ材１１は、流体を通過させてろ過すると共に、逆洗が可能なものであれば良く、その具体的な構成については特に限定されるものではない。例えば、ろ材１１には、円筒状の枠体（ろ枠）に金網やノッチワイヤを巻き付けて中空筒状に形成したものを用いることができる。尚、以下では、ろ材１１が、枠体にノッチワイヤを巻き付けて形成されている例をあげ、フィルタエレメント１０の各構成の詳細な説明を行う。尚、図２は、本実施形態のフィルタエレメントの部品展開図である。
【００３９】
図２に示す例では、フィルタエレメント１０を構成するろ材１１は、ステンレス等の金属製の枠体ｆにノッチワイヤｎｗを螺旋状に巻き付けることにより円筒状に形成されている。この枠体ｆは、両面が貫通した円形の上側リング部材ｆａと、両面が貫通した円形の下側リング部材ｆｂと、上側リング部材ｆａと下側リング部材ｆｂとの間に配設された棒状のワイヤ支持材ｆｃとにより構成されている。具体的には、枠体ｆは、上側リング部材ｆａと下側リング部材ｆｂとを所定間隔を開けて配置し（相対向して配置し）、上側リング部材ｆａと下側リング部材ｆｂとの間に複数のワイヤ支持材ｆｃを所定間隔を開けて円周状に配設し、各ワイヤ支持材ｆｃの両端をそれぞれ上側リング部材ｆａと下側リング部材ｆｂに固着することにより形成される。
【００４０】
そして、枠体ｆの円周状に配置されたワイヤ支持材ｆｃに、ノッチワイヤｎｗを外接させながら螺旋状に巻き付けて積層させていくことにより、円筒状のろ材１１が形成されるようになっている。尚、ろ材１１の下端は、開放され、流体が通過するフィルタ入口１９（図６、図７参照）となっている。
【００４１】
また、ろ材１１の上端部を覆う上蓋部１２は、略円板状に形成されており、ステンレス等の金属で構成されている。
【００４２】
具体的には、上蓋部１２は、その直径が、上側リング部材ｆａの外径と略同様の大きさ寸法になされており、上側リング部材ｆａの上面に固着されている。これにより、円筒状の形成したろ材１１の上端部が上蓋部１２により覆われる。また、上蓋部１２には、その上下面を貫通する上孔１２ａが穿設されており、この上孔１２ａに接続管１３が嵌合される。
【００４３】
接続管１３は、例えばＵ字形状に形成され、一対のフィルタエレメント１０と接続される。具体的には、図１に示すように接続管１３の一端１３ａが一方のフィルタエレメント１０ａの上孔１２ａに嵌合され、また接続管１３の他端１３ｂが他方のフィルタエレメント１０ｂの上孔１２ａに嵌合されている。尚、接続管１３は、ステンレス等の金属で構成されている。
【００４４】
接続管１３は、図３に示すように一対のフィルタエレメント１０に配置される。例えば、図３（ａ）に示す接続管１３は、棚板７の内円上に固定されたフィルタエレメント１０と、棚板７の外円上に固定され、隣接するフィルタエレメント１０とを連通するように配置される。また、図３（ｂ）に示す接続管１３は、棚板７の内円上に固定されたフィルタエレメント１０と、同じく内円上に固定され、隣接するフィルタエレメント１０とを連通するように配置され、外側に設けられたフィルタエレメント１０と、同じく内円上に固定され、隣接するフィルタエレメント１０とを連通するように配置されてもよい。尚、接続管１３を介して接続された一対のフィルタエレメント１０をフィルタエレメント構造１００とする。
【００４５】
次に、本実施形態のフィルタエレメント構造１００の動作を説明する。先ず、ろ過処理を行う際のフィルタエレメント構造１００の動作について、上述した図４〜図６を用いて説明する。尚、図４は、本実施形態のフィルタエレメント構造１００を備えた逆洗型ろ過装置のろ過処理中の全体構成を示した模式図である。図５（ａ）は、本実施形態のフィルタエレメント構造１００によるろ過工程中の流体の流通方向を示す模式図である。また図６は、本実施形態のフィルタエレメント構造１００によるろ過工程を説明するための模式図であり、（ａ）がろ過処理を開始した直後のフィルタエレメント構造１００及び流体を示した模式図であり、（ｂ）がろ過処理を開始してから所定時間が経過した状態のフィルタエレメント構造１００及び流体を示した模式図である。また、図５、図６では、説明の便宜上、図を簡略化している。
【００４６】
フィルタエレメント構造１００は、その下端部に形成されたフィルタ入口１９に逆洗アーム２０が接続されていないときに、ろ過処理を行うように構成されている。図４及び５（ａ）に示す例では、フィルタエレメント構造１００は、逆洗アーム２０と接続されておらず、流体のろ過処理を行う。
【００４７】
具体的には、フィルタエレメント構造１００を構成する一対のフィルタエレメント１０ｅ、１０ｆは、それぞれのフィルタ入口１９と逆洗アーム２０とが接続されていない状態において、装置入口４から流入してくる流体（ゴミ等のろ過対象物（付着物）ｄが含まれた流体）が、各フィルタ入口１９から各ろ材１１の筒内に流れてくるようなっている（図６（ａ）参照）。そして、各フィルタ入口１９から各ろ材１１の筒内に流体が流れてくると、この流入する流体が各上蓋部１２の上孔１２ａに接続された接続管１３内へ流出する。その後、ろ過工程においては、各フィルタ入口１９から流体が流入し、流入した流体により接続管１３内が満たされた状態となり、流体の接続管１３への流入が止まる。その結果、各上蓋部１２の各上孔１２ａが水密に閉鎖されたと同様な状態となる。
【００４８】
そして、各ろ材１１の内筒内に流入してきた流体は、各ろ材１１の内側から外側を通過して一対のフィルタエレメント１０ｅ、１０ｆの各外側に流出する。このときに、流体に含まれるゴミ等のろ過対象物ｄがろ材１１に捕捉されていき、一対のフィルタエレメント１０ｅ、１０ｆを通過した流体からはろ過対象物ｄが取り除かれる（図６（ｂ）参照）。一対のフィルタエレメント１０ｅ、１０ｆを通過したろ過された流体は、出口側エリアＡ２中を流れて装置出口５から排出されていく。
【００４９】
このように、本実施形態では、一対のフィルタエレメント１０ｅ、１０ｆの各上蓋部１２にそれぞれ上孔１２ａを設けているが、ろ過工程のときには各上孔１２ａが水密に閉鎖されたと同様な状態となることにより、従来技術のフィルタエレメントと同様のろ過性能が実現される。
【００５０】
次に、逆洗処理を行う際のフィルタエレメント構造１００の動作について、上述した図５と図７とを用いて説明する。尚、図５（ｂ）は、本実施形態のフィルタエレメント構造１００による逆洗工程中の流体の流通方向を示す模式図である。図７は、本実施形態のフィルタエレメント構造１００の逆洗工程を説明するための模式図であり、（ａ）が逆洗処理を開始した直後のフィルタエレメント構造１００及び流体を示した模式図であり、（ｂ）が逆洗処理を開始してから所定時間が経過した状態のフィルタエレメント構造１００及び流体を示した模式図であり、（ｃ）が逆洗処理によりゴミを洗い流した後で、再び、ろ過処理を開始した状態を示した模式図である。また、図７では、図５と同様、説明の便宜上、図を簡略化している。
【００５１】
フィルタエレメント構造１００を構成する一対のフィルタエレメント１０ｇ、１０ｈの内、一方のフィルタエレメント１０ｇに対し、その下端部に形成されたフィルタ入口１９に逆洗アーム２０が接続されたときに、フィルタエレメント構造１００の逆洗処理を行うように構成されている。図５（ｂ）に示す例では、一対のフィルタエレメント１０ｇ、１０ｈが逆洗アーム２０と接続されているろ材１１の逆洗を行う。尚、図７（ａ）、（ｂ）では、フィルタ入口１９と連通する逆洗アーム２０を省略している。
【００５２】
一対のフィルタエレメント１０ｇ、１０ｈの内、一方のフィルタエレメント１０ｇは、棚板７の貫通孔７ｂ２を介して、下端部に形成されたフィルタ入口１９に逆洗アーム２０が接続された状態になると、フィルタ入口１９が逆洗アーム２０により塞がれ、フィルタ入口１９への流体の流入が止まる。そして、フィルタ入口１９への流体の流入が止まると、フィルタエレメント１０ｇの外側を流れている流体（出口側エリアＡ２を流れている流体）がフィルタエレメント１０ｇの側面を構成するろ材１１を通過し、ろ材１１の筒内に流入してくる（図５（ｂ）参照）。これにより、ろ材１１の間に捕捉されていた付着物（ろ過対象物）ｄが洗い流される。
【００５３】
また、入口側エリアＡ１を流れている流体がフィルタエレメント１０ｈのフィルタ入口１９から流入し、この流入する流体が上蓋部１２の上孔１２ａに接続された接続管１３へ流出する。そして、この流体は接続管１３内を通過し、接続管１３を介してフィルタエレメント１０ｈと接続されているフィルタエレメント１０ｇ内に流出する。その結果、接続管１３が接続された上蓋部１２の上孔１２ａからフィルタ入口１９に向けて大きい流量の流体が流れることにより、フィルタエレメント１０ｇのろ材１１の上方側のろ材１１間に付着した付着物（ろ過対象物）ｄが洗い流される。
【００５４】
尚、フィルタエレメント１０ｈのフィルタ入口１９から流入した流体は、ろ材１１の目が細かく、フィルタエレメント１０ｈの外側よりも接続管１３内の水圧が低いことから、ろ材１１の内側からフィルタエレメント１０ｈの外側にほとんど流出することはない。
【００５５】
その後、図７（ａ）、（ｂ）に示す逆洗工程が終えたフィルタエレメント１０により、再度、流体のろ過を行う場合、図７（ｃ）に示すように、ろ材１１に捕捉された付着物（ろ過対象物）ｄが洗い流された状態になっているため、所望するろ過能力が維持されるようになる。
【００５６】
尚、上記実施形態では、フィルタエレメント１０ｇに逆洗アーム２０が接続されたときの逆洗工程について説明したが、フィルタエレメント１０ｈに逆洗アーム２０が接続されたときは、流体がフィルタエレメント１０ｇのフィルタ入口１９から流入した流体が接続管１３内を通過し、接続管１３を介してフィルタエレメント１０ｇと接続されているフィルタエレメント１０ｈ内に流出する。その結果、接続管１３が接続された上蓋部１２の上孔１２ａからフィルタ入口１９に向けて流体が流れることにより、フィルタエレメント１０ｈのろ材１１の上方側のろ材１１間に付着した付着物（ろ過対象物）ｄが洗い流される。
【００５７】
このように、本実施形態のフィルタエレメント構造１００は、一対のフィルタエレメント１０が接続管１３を介して接続された構成を採用している。
【００５８】
この構成により、本実施形態では、一対のフィルタエレメント１０ｇ、１０ｈを逆洗する際、一方のフィルタエレメント１０ｇのフィルタ入口１９に逆洗アーム２０を接続すると、他方のフィルタエレメント１０ｈのフィルタ入口１９から流入した流体が接続管１３を通過し、逆洗している最中において、ろ材１１の上端部からフィルタ入口１９に向けて大きい流量の流れを発生させることができる。これにより、本実施形態によれば、ろ材１１の上端部側にも大きな流れが発生するようになり、フィルタ入口１９から離れている「ろ材１１の上端部側」に付着した付着物（ろ過対象物）ｄを十分に洗い流すことができる。また、本実施形態によれば、ろ材１１の側面に付着している付着物（ろ過対象物）ｄを洗い流すことができる。
【００５９】
したがって、本実施形態によれば、上述の従来技術と比べ、フィルタエレメント１０に付着した付着物ｄの洗浄効果（逆洗による洗浄効果）を高めることができ、使用によるろ過流量の低下が抑制される。
【００６０】
また、本実施形態は、一対のフィルタエレメント１０を、「接続管１３」を介して接続する構成（部品点数が少なく、且つ複雑な制御を必要としない構成）により、ろ過流量の低下を抑制している。すなわち、本実施形態は、洗浄効果を高める上記構成（接続管１３）を動作させるために、新たに、外部動力源や制御回路等設ける必要がないため、大幅なコストアップを招くことなく、ろ過流量の低下を抑制できる一対のフィルタエレメント１０が実現される。
【００６１】
また、本実施形態では、一対のフィルタエレメント１０が接続管１３を介して接続されている。この構成により、逆洗を行わないときには、上蓋部１２の上孔１２ａを閉鎖した状態と同様な状態とすることができる。その結果、ろ過工程において、ろ材１１を通過しないでフィルタエレメント１０の外部に流体が流出されることが防止される。
【００６２】
以上説明したように、本実施形態によれば、ろ過流量の低下を抑制できる一対のフィルタエレメント１０及び逆洗型ろ過装置Ｗを提供することができる。
【００６３】
尚、本発明は、上述した実施形態に限定されるものではなく、その要旨の範囲内において種々の変更が可能である。
【００６４】
本実施形態の接続管１３は、Ｕ字形状としたが、流体の流れを妨げることなく、通過可能な形状であればよい。
【符号の説明】
【００６５】
Ｗ…逆洗型ろ過装置
１…ハウジング
１ａ…本体部（ハウジング）
１ａ１…底部（ハウジング）
１ｂ…蓋体部（ハウジング）
４…装置入口（ハウジング）
５…装置出口（ハウジング）
７…棚板
７ａ…貫通孔
７ｂ１、７ｂ２…貫通孔
８…回転軸
９…モータ
１０…フィルタエレメント
１１…ろ材（フィルタエレメント）
１２…上蓋部（フィルタエレメント）
１２ａ…上孔（フィルタエレメント）
１３…接続管（フィルタエレメント）
１９…フィルタ入口（フィルタエレメント）
１００…フィルタエレメント構造
ｆ…枠体（フィルタエレメント）
ｆａ…上側リング部材（枠体（フィルタエレメント））
ｆｂ…下側リング部材（枠体（フィルタエレメント））
ｆｃ…ワイヤ支持材（枠体（フィルタエレメント））
２０…逆洗アーム
２０ａ…基部（逆洗アーム）
２０ｂ…垂直管（逆洗アーム）
２０ｃ、２０ｄ…Ｌ字管（逆洗アーム）
３０…排出管
４０…逆洗液排出口
【図１】
2014042888.tif 000003
【図２】
2014042888.tif 000004
【図３】
2014042888.tif 000005
【図４】
2014042888.tif 000006
【図５】
2014042888.tif 000007
【図６】
2014042888.tif 000008
【図７】
2014042888.tif 000009
【図８】
2014042888.tif 000010
【図９】
2014042888.tif 000011
【図１０】
2014042888.tif 000012